(57)【要約】【課題】  収納した定形錠剤の取出しを、転がり落下ではなく押出しにより達成することにより、定形錠剤の常に一定にして、安定した適正な取出しを得ることができるようにすることを目的とする。【解決手段】  定形錠剤Ｋを収納する収納室Ａの一隅に、定形錠剤Ｋが位置する取出し部Ｂを形成し、この取出し部Ｂの定形錠剤Ｋを、軟質弾性材製の口部材１０のスリット１１を押圧により拡開させて押出すことのより、押出される定形錠剤Ｋに保持力を作用させながら取出して、その飛び出しを防止する。【選択図】  図４
2010235118.tif 000002
【特許請求の範囲】
【請求項１】
定形錠剤を収納する収納室の一隅に、前記定形錠剤が一つづつ侵入する取出し部を形成し、該取出し部を、一体にヒンジ結合された開閉蓋で密閉される取出し口を底壁に開設して構成し、スリットを有することにより拡開弾性変形可能な軟質弾性材製の口部材を前記取出し口に組付け、前記取出し部の頂壁部分に、該取出し部に位置した定形錠剤を口部材に向けて押圧する反転弾性変形可能な押し釦を形成して成る定形錠剤容器。
【請求項２】
取出し部に、定形錠剤の厚みよりも小さい深さの凹部を設けて段差を形成した請求項１に記載の定形錠剤容器。
【請求項３】
底壁の下面に、開閉蓋の開姿勢を係止保持する係止部を設けた請求項１または２に記載の定形錠剤容器。
【請求項４】
口部材の一部に切欠き孔を形成し、残部を等分する形態で一本のスリットを設けた請求項１〜３のいづれか１項に記載の定形錠剤容器。
【請求項５】
上方に膨出するドーム状に形成された押し釦の内面に、取出し部に位置した定形錠剤に押圧力を作用させると共に、前記取出し部に定形錠剤が重なって侵入するのを防止する足筒片を垂下設した請求項１〜４のいづれか１項に記載の定形錠剤容器。
【発明の詳細な説明】
【技術分野】
【０００１】
本発明は、形状および大きさの等しい定形錠剤を多数収納し、必要時に一つづつ取出す定形錠剤容器に関するものである。
【背景技術】
【０００２】
形状および大きさの等しい固形物を含む定形錠剤容器の従来技術として、特開２００６−１４３２５６号公報に示された、一部が切り欠かれた容器本体と、その切欠き開口を蓋する蓋体とを有し、蓋体は、容器本体の切欠き開口縁部の一端から薄肉のヒンジ部を介して一体的に形成されており、その蓋体に設けられたヒンジ部を容器本体の内側に押し込むことにより、ヒンジ部形成部分から蓋体の前端縁にいたる部分が切欠き開口から外れて回動し、切欠き開口から外側に向って傾斜して錠剤取り出し用の小開口を形成するとともに、容器本体の内側に押し込まれたヒンジ部が、容器本体に設けられた小片の先端に接近して、容器本体内の錠剤が小開口に移動することを阻止するようにした技術がある。
【０００３】
上記した従来技術にあっては、簡単な操作で、所望数の錠剤だけを簡単に取出すことができ、しかも開いた小開口から所望数以上の錠剤が不正に出てくるのを防止することができ、さらに構造が簡単であるので、安価に製造することができる、と云う利点を発揮する。
【先行技術文献】
【特許文献】
【０００４】
【特許文献１】特開２００６−１４３２５６号公報
【０００５】
しかしながら、上記した従来技術にあっては、錠剤は、蓋体を押し込んで開口した小開口から転がりながら自然落下して取出されることになるので、必ずしもその取出し状況が正確に規制されるわけではなく、このため注意しないと取出した錠剤を取り落とすことがある、と云う問題があった。
【０００６】
また、容器本体内への蓋体の押し込みにより、収納されている錠剤を押し退けることになるので、押し退けられた錠剤に傷が付く恐れがある、と云う問題があった。
【発明の概要】
【発明が解決しようとする課題】
【０００７】
そこで、本発明は、上記した従来技術における問題点を解消すべく創案されたもので、収納した定形錠剤の取出しを、転がり落下ではなく押出しにより達成することを技術的課題とし、もって定形錠剤の常に一定にして、安定した適正な取出しを得ることができるようにすることを目的とする。
【課題を解決するための手段】
【０００８】
上記技術的課題を解決するための本発明の主たる構成は、
定形錠剤を収納する収納室の一隅に、定形錠剤が一つづつ侵入する取出し部を形成すること、
この取出し部を、一体にヒンジ結合された開閉蓋で密閉される取出し口を底壁に開設して構成すること、
スリットを有することにより拡開弾性変形可能な軟質弾性材製の口部材を取出し口に組付けること、
取出し部の頂壁部分に、この取出し部に位置した定形錠剤を口部材に向けて押圧する、反転弾性変形可能な押し釦を形成すること、
にある。
【０００９】
取出し部には、定形錠剤が一つづつ侵入可能であるので、定形錠剤容器を傾けると、取出し部に一つの定形錠剤が滑る等して侵入位置する。この状態で開閉蓋を開状態とすると共に押し釦を押して、取出し部に位置している定形錠剤を口部材に押付ける。
【００１０】
口部材は、定形錠剤が押付けられると、弾力に逆らってスリットが拡開され、これにより定形錠剤が取出し口から押出されることになるのであるが、この際、定形錠剤は、口部材の弾力を抵抗力として受けながら押出されるので、この口部材の弾力で規制されながら押出されることになり、これにより飛び出すことなく、押し釦の押付けと同じ速度で押出される。
【００１１】
定形錠剤を口部材に押圧した押し釦は、反転弾性変形可能であるので、定形錠剤の取出しが完了して押下げ力が取去られると、自身の弾力により原形に反転復帰し、次の取出しに待機する。また、開閉蓋は閉姿勢に回動されて、取出し口を密閉する。
【００１２】
本発明の別の構成は、上記した主たる構成に加えて、取出し部に、定形錠剤の厚みよりも小さい深さの凹部を設けて段差を形成した、ものである。
【００１３】
取出し部に凹部を設けて段差を形成したものにあっては、段差の作用により、取出し部に位置した一つの定形錠剤の、取出し部からの抜け出しが起こり難くなると共に、段差幅が定形錠剤の厚みより小さいので、この取出し部に位置した定形錠剤の存在が、他の定形錠剤の取出し部への侵入を阻止するように作用する。
【００１４】
また、本発明の別の構成は、上記した主たる構成に加えて、底壁の下面に、開閉蓋の開姿勢を係止保持する係止部を設けた、ものである。
【００１５】
開閉蓋の開姿勢を係止保持する係止部を設けたものにあっては、定形錠剤を押出しにより取出すに際して、開閉蓋が、押出された定形錠剤の受取りの邪魔となるのを防止することができる。
【００１６】
また、本発明の別の構成は、上記した主たる構成に加えて、口部材の一部に切欠き孔を形成し、残部を等分する形態で一本のスリットを設けた、ものである。
【００１７】
口部材の一部に切欠き孔を形成し、残部を等分する形態で一本のスリットを設けたものにあっては、押出される定形錠剤が必ず切欠き凹部から押出される形態となるので、その押出し形態を正確に一定化させることができる。
【００１８】
また、本発明の別の構成は、上記した主たる構成に加えて、上方に膨出するドーム状に形成された押し釦の内面に、取出し部に位置した定形錠剤に押圧力を作用させると共に、取出し部に定形錠剤が重なって侵入するのを防止する足筒片を垂下設した、ものである。
【００１９】
押し釦をドーム状に形成すると共に、足筒片を垂下設したものにあっては、取出し部に位置した定形錠剤に対する押し釦からの押圧力の作用形態を一定にすることができると共に、取出し部に二つの定形錠剤が重なり状に不正侵入するのを確実に防止することができる。
【発明の効果】
【００２０】
本発明は、上記した構成となっているので、以下に示す効果を奏する。
本発明の主たる構成にあっては、定形錠剤は、口部材の弾力で規制されながら略一定した押出し状態で押出されるので、定形錠剤を、転がり落下させることなく、安全に取出すことができる。
【００２１】
押し釦は、定形錠剤の取出しが完了後は原形に反転復帰し、次の取出しに待機し、開閉蓋により取出し口は密閉されるので、容器を密閉した待機状態を簡単に得ることができて、定形錠剤の良好な収納状態を維持することができる。
【００２２】
取出し部に凹部を設けて段差を形成したものにあっては、取出し部に定形錠剤を位置させた待機状態を安定して保持するので、その分、取り扱いの利便性が高くなり、また取出し部に位置した定形錠剤の存在が、他の定形錠剤の取出し部への侵入を阻止するので、定形錠剤の適正な取出しを安定的に得ることができる。
【００２３】
開閉蓋の開姿勢を係止保持する係止部を設けたものにあっては、開閉蓋が、押出された定形錠剤の受取りの邪魔となるのを防止することができるので、安定した定形錠剤の取出し操作を得ることができる。
【００２４】
口部材の一部に切欠き孔を形成し、残部を等分する形態で一本のスリットを設けたものにあっては、定形錠剤の押出し形態を正確に一定化させることができるので、定形錠剤のより安全な取出しを得ることができる。
【００２５】
押し釦をドーム状に形成すると共に、足筒片を垂下設したものにあっては、定形錠剤に対する押圧力の作用形態を一定にすることができるので、定形錠剤の安定した押出し操作を得ることができ、また取出し部に二つの定形錠剤が重なり状に不正侵入するのを確実に防止するので、定形錠剤の適正な取出し動作を確実に得ることができる。
【図面の簡単な説明】
【００２６】
【図１】本発明の一実施形態例を示す、分解斜視図である。
【図２】図１に示した実施形態例の、平面図である。
【図３】図１に示した実施形態例の、底面図である。
【図４】図１に示した実施形態例の、縦断側面図である。
【図５】図４の一部を拡大した、開閉蓋の開状態の縦断側面図である。
【図６】口部材の他の実施例を示す、部分底面図である。
【図７】口部材のさらに他の実施例を示す、部分底面図である。
【発明を実施するための形態】
【００２７】
以下、本発明の実施形態を、図面を参照しながら説明する。
図１は、本発明の定形錠剤容器を、合成樹脂製の容器本体１とカバー体１３の組合せにより、薄箱状に構成した実施形態例の分解斜視図を示すもので、容器本体１は、四角平板状の底壁２の周端縁に高さの低い四角筒片状の周壁３を連設して、底壁２の一隅である一つの角部に、収納される定形錠剤Ｋの厚みよりも小さい深さの凹部４を形成し、この凹部４の底壁２部分に取出し口５（図５参照）を開設している。
【００２８】
凹部４を形成している筒状壁部分の底壁２の下面に対向した部分には、ヒンジ７を介して開閉蓋６（図３および図４参照）が、開閉回動可能に一体に設けられており、この開閉蓋６の上面には取出し口５に密嵌入して、開閉蓋６により取出し口５を密閉させる高さの低いシール筒片６ａ（図４および図５参照）が起立設されている。
【００２９】
また、底壁２の下面には、開閉蓋６の開姿勢を係止保持する係止部８（図３および図４参照）が形成されているが、図示実施例の場合、係止部８は、底壁２の下面に垂下設されたリブ片の先端に、開閉蓋６の周端縁に乗り越え係止する係止片９と突設して構成されている。
【００３０】
取出し口５には、十文字状のスリット１１（図３参照）を設けた軟質弾性材製の口部材１０（図５参照）が、この取出し口５を塞ぐ形態で組付け固定されており、スリット１１は、口部材１０の弾性により拡開可能となっている。
【００３１】
図６は、スリット１１をＹの字状に形成した実施形態例を示すもので、この場合、スリット１１を十文字状とした場合に比べて、スリット１１を拡開するのに抵抗が大きくなり、その分、定形錠剤Ｋを取出す際の操作感が高められる。
【００３２】
また、図７は、口部材１０の異なる実施形態例を示すもので、口部材１０の一部に切欠き孔１２を開設し、残部を等分する一つのスリット１１を設けて構成しており、この場合、押出される定形錠剤Ｋは、必ず切欠き孔１２から頭を出す姿勢で押出されるので、これにより常に一定した姿勢で定形錠剤Ｋを押出すことが可能となる。
【００３３】
このように、口部材１０の構造は一つに特定する必要はなく、取扱い対象物である定形錠剤Ｋの形状、大きさ、厚さ等に適合する構造とするのが良い。
【００３４】
カバー体１３（図１、図２、図４参照）は、四角平板状の頂壁１４の周端縁から、容器本体１の周壁３に外嵌する高さの低い四角筒片状の筒壁１５を垂下連設し、筒壁１５の途中に外鍔状の段部を設け、この段部の内周縁から周壁３に密嵌合する嵌合筒片１６を垂下設して構成されている。
【００３５】
容器本体１の凹部４の直上に位置する頂壁１４の一隅である一つの角部には、凹陥部１７が陥没形成されており、この凹陥部１７を形成している頂壁１４部分に、反転弾性変形可能にドーム状の押し釦１８を形成し、この押し釦１８の内面に足筒片１９を垂下設している。
【００３６】
容器本体１とカバー体１３は、周壁３に筒壁１５を外嵌させると共に、嵌合筒片１６を嵌入させることにより薄箱状の定形錠剤容器に組立てられるが、この状態で、内部に定形錠剤Ｋを収納する収納室Ａを形成すると共に、この収納室Ａの一隅に取出し部Ｂを形成する。
【００３７】
図示実施形態例の場合、収納室Ａは、円板状の定形錠剤Ｋの厚みよりも少し大きい深さを有するだけであるので、収納室Ａに収納される定形錠剤Ｋは、横に並列に並べられた状態（図２、図４参照）で収納されることになる。
【００３８】
取出し部Ｂは、開閉蓋６で開閉される取出し口５に組付けられた口部材１０で底面を形成し、この底面は凹部４による段差分だけ収納室Ａの床面よりも低くなっており、天井部分には押し釦１８が位置していて、この押し釦１８の足筒片１９の下端が、この取出し部Ｂに位置した定形錠剤Ｋの直ぐ上に位置している。
【００３９】
次に、本発明により定形錠剤容器の使用形態例を説明する。
取出し部Ｂは、収納室Ａの一隅に形成されているので、容器を取出し部Ｂが下になるように傾けると、収納された定形錠剤Ｋは、底壁２上を周壁３にガイドされながら取出し部Ｂに導かれ、そのまま一つだけ取出し部Ｂに落込む状態で侵入（図５参照）し、定形錠剤Ｋを取出し可能な待機状態となる。
【００４０】
この状態は、収納室Ａと取出し部Ｂとの間に段差があるため、滑り変位し難いことと、足筒片１９により飛び出しが規制されることにより、比較的安定して維持される。
【００４１】
取出し部Ｂの定形錠剤Ｋを取出す際には、先ず開閉蓋６を開放回動して係止部８により開放姿勢を保持させた状態で、押し釦１８を押下げて陥没反転変形させ、足筒片１９により、定形錠剤Ｋを口部材１０の弾力に逆らって押下げ、口部材１０のスリット１１を拡開させる。
【００４２】
定形錠剤Ｋの押出しは、スリット１１を拡開させながら行われるが、この押出されつつある定形錠剤Ｋに対して、口部材１０の弾力が保持力として作用した状態となっているので、この口部材１０からの保持力の作用がなくならない限り、定形錠剤Ｋが飛び出すと云うことはない。
【００４３】
定形錠剤Ｋの取出しが完了したならば、押し釦１８に対する押下げ力を取去って、押し釦１８を自動的に反転復帰させ、また開閉蓋６を閉状態として取出し口５を密閉して、定形錠剤容器を密閉状態とする。なお、この際、定形錠剤容器を傾けて、取出し部Ｂに一つの定形錠剤Ｋを位置させて、容器を待機状態としておいても良い。
【００４４】
図示実施例では、定形錠剤Ｋとして、円形平板状のものを図示したが、収納される定形錠剤Ｋは、その形状が限定されることはなく、要は同じ大きさの定形で一つづつ滑り変位して取出し部Ｂに侵入可能であれば良い。
【産業上の利用可能性】
【００４５】
以上説明したように、本発明における定形錠剤容器は、定形錠剤に対して保持力を作用させながら押出すので、取出される定形錠剤を飛び出し落下させることがないものであり、定形物を安全に一つづつ取出す技術として、幅広い利用展開が期待できる。
【符号の説明】
【００４６】
１  ；容器本体
２  ；底壁
３  ；周壁
４  ；凹部
５  ；取出し口
６  ；開閉蓋
６ａ；シール筒片
７  ；ヒンジ
８  ；係止部
９  ；係止片
１０；口部材
１１；スリット
１２；切欠き孔
１３；カバー体
１４；頂壁
１５；筒壁
１６；嵌合筒片
１７；凹陥部
１８；押し釦
１９；足筒片
Ｋ  ；定形錠剤
Ａ  ；収納室
Ｂ  ；取出し部
【図１】
2010235118.tif 000003
【図２】
2010235118.tif 000004
【図３】
2010235118.tif 000005
【図４】
2010235118.tif 000006
【図５】
2010235118.tif 000007
【図６】
2010235118.tif 000008
【図７】
2010235118.tif 000009